(57)【要約】【課題】排気ガス性状を改善できる筒内噴射エンジンの燃料供給装置を提供する。【解決手段】筒内にガソリンを直接噴射供給する燃料噴射弁７を備えた筒内噴射エンジンの燃料供給装置において、上記燃料噴射弁７から噴射されたガソリンを加熱することにより該ガソリンの蒸発を促進する加熱手段８を備えた。【選択図】    図１
2004316565.tif 000002
【特許請求の範囲】
【請求項１】
筒内にガソリンを直接噴射供給する燃料噴射弁を備えた筒内噴射エンジンの燃料供給装置において、上記燃料噴射弁から噴射されたガソリンを加熱することにより該ガソリンの蒸発を促進する加熱手段を備えたことを特徴とする筒内噴射エンジンの燃料供給装置。
【請求項２】
請求項１において、上記加熱手段が印加電圧の制御により発熱部の温度を制御可能の電熱式の発熱体であり、該発熱体は、発熱部の少なくとも一部が上記燃料噴射弁から噴射されたガソリンに接触するように配設されていることを特徴とする筒内噴射エンジンの燃料供給装置。
【請求項３】
請求項２において、上記発熱体は、燃料噴射弁から噴射されたガソリンを該ガソンリの自己着火点以下の温度に加熱するように構成されていることを特徴とする筒内噴射エンジンの燃料供給装置。
【発明の詳細な説明】
【０００１】
【発明の属する技術分野】
本発明は、筒内噴射エンジンの燃料供給装置に関し、詳細には例えば冷間始動時のような燃料が蒸発しにくい運転状態における燃焼性を改善できるようにした燃料供給方法の改善に関する。
【０００２】
【従来の技術】
筒内噴射エンジンは、燃料噴射弁をシリンダヘッド又はシリンダブロックに装着し、その噴射ノズルをシリンダボア（筒内）内に臨ませ、もって筒内に燃料を直接噴射供給する構成となっている（例えば特許文献１参照）。
【０００３】
【特許文献１】
特開２０００−１２０４６７号公報
【０００４】
【発明が解決しようとする課題】
ところが上記従来の一般的な筒内噴射エンジンでは、特に冷間始動時に排気ガス性状が悪化するいう問題がある。これは冷間始動時には吸入空気温度，燃料温度，エンジン冷却水温度及び潤滑油温度が低く、筒内に直接噴射されたガソリンの蒸発が十分でないことから燃焼に寄与できない燃料がそのまま排出され、排気ガス中の炭化水素やスモークが増加するものと考えられる。
【０００５】
本発明は、上記従来の問題点に鑑みてなされたもので、排気ガス性状を改善できる筒内噴射エンジンの燃料供給装置を提供することを課題としている。
【０００６】
【課題を解決するための手段】
請求項１の発明は、筒内にガソリンを直接噴射供給する燃料噴射弁を備えた筒内噴射エンジンの燃料供給装置において、上記燃料噴射弁から噴射されたガソリンを加熱することにより該ガソリンの蒸発を促進する加熱手段を備えたことを特徴としている。
【０００７】
請求項２の発明は、請求項１において、上記加熱手段が印加電圧の制御により発熱部の温度を制御可能の電熱式の発熱体であり、該発熱体は、発熱部の少なくとも一部が上記燃料噴射弁から噴射されたガソリンに接触するように配設されていることを特徴としている。
【０００８】
請求項３の発明は、請求項２において、燃料噴射弁から噴射されたガソリンを該ガソンリの自己着火点以下の温度に加熱するように構成されていることを特徴としている。
【０００９】
【発明の作用効果】
請求項１の発明によれば、燃料噴射弁から噴射されたガソリンを加熱するようにしたので、例えばエンジン始動時のように吸気温度等が低い場合でもガソリンの蒸発を促進でき、燃焼に寄与しないまま排出される燃料量を低減でき、排気ガス性状の悪化を回避できる。
【００１０】
請求項２の発明によれば、上記加熱手段を印加電圧の制御により発熱部の温度を制御可能の電熱式の発熱体とし、該発熱体の発熱部の少なくとも一部を上記燃料噴射弁から噴射されたガソリンに接触するように配設したので、吸気温度，冷却水温度あるいは燃料温度に応じて設定される発熱部の必要温度に応じて上記印加電圧を制御することにより、噴射燃料に例えば吸気温度等が低いほど多量の熱を与えることができ、より一層確実に燃料の蒸発を促進できる。
【００１１】
請求項３の発明によれば、上記発熱体によりガソンリを自己着火点以下の温度に加熱するようにしたので、点火プラグ側で設定された点火タイミング通りに燃焼を開始させることができる。即ち、ガソリンの加熱により蒸発が促進され、そのため点火プラグでスパークを発生させると直ちに燃焼が開始されるので、点火タイミングの制御精度を向上できる。
【００１２】
【発明の実施の形態】
以下、本発明の実施の形態を添付図面に基づいて説明する。
図１〜図６は本発明の一実施形態に係る筒内噴射エンジンの燃料供給装置を説明するための図であり、図１はシリンダヘッド回りの断面側面図、図２は平面模式図、図３〜図６はグロープラグの制御を示す特性図である。
【００１３】
図において、１は筒内噴射エンジンのシリンダブロック、２は該シリンダブロック１にボルト締め結合されたシリンダヘッドである。上記シリンダブロック１のシリンダボア（気筒）１ａ内にピストン３が摺動自在に挿入配置されており、該ピストン３は図示しないコンロッドでクランク軸に連結されている。
【００１４】
また上記シリンダヘッド２の下側合面２ａには上記シリンダボア１ａ及びピストン３の頂面とで燃焼室を形成する燃焼凹部２ｃが凹設されている。この燃焼凹部２ｃに開口している吸気弁開口２ｄ，２ｄ、排気弁開口２ｅ，２ｅはそれぞれ吸気ポート２ｆ，排気ポート２ｇによりシリンダヘッド２の後側壁，前側壁に導出されている。上記吸気弁開口２ｄ，排気弁開口２ｅはそれぞれ吸気弁４，排気弁５の弁頭４ａ，５ａで開閉される。なお、上記吸気弁４，排気弁５は図示しない動弁機構により上記開口を開閉するよう駆動される。
【００１５】
上記燃焼凹部２ｃの天井壁の気筒軸線Ａから少し排気側に偏位した位置に点火プラグ６螺挿されている。該点火プラグ６の電極６ａは上記燃焼凹部２ｃの略気筒軸線Ａ部分に露出しており、また該点火プラグ６は排気側に傾斜している。
【００１６】
また上記シリンダヘッド２の上記吸気ポート２ｆと下側合面２ａとの間の部分に、筒内にガソリンを直接噴射供給する燃料噴射弁７が挿入配置されている。この燃料噴射弁７は、カム軸方向（図１紙面直角方向）に見ると上記吸気ポート２ｆと略平行になっており、また気筒軸方向（図２紙面直角方向）に見ると上記気筒軸線Ａから左，右の吸気弁開口２ｄ，２ｄの中央部分を通る直線ａ上に位置している。また噴射ノズル７ａ部分は、シリンダヘッド２に形成された燃料噴射口２ｈ内に位置しており、ここから上記燃焼室内に臨んでいる。
【００１７】
そして上記シリンダヘッド２の吸気ポート２ｆの左，右分岐ポート２ｉ，２ｉ間には、上記燃料噴射弁７から噴射された燃料の加熱手段として機能するグロープラグ（発熱体）８が挿入配置されている。このグロープラグ８は気筒軸線Ａ方向に見ると上記直線ａ上に位置し、その先端の発熱部８ａはカム軸方向に見ると上記燃料噴射口２ｈ内に突出しており、これにより上記噴射ノズル７ａから噴射されたガソリンは上記発熱部８ａに当たり、温度が上昇し、その結果蒸発が促進される。
【００１８】
ここで上記グロープラグ８の特に発熱部８ａの温度制御について説明する。上記発熱部８ａは該発熱部への印加電圧の増加に伴って温度上昇する（図３参照）。本実施形態では、エンジン冷却水温度，吸気温度，燃料温度の何れか１つ又は２以上が低いほど上記発熱部８ａの必要温度が高くなるよう（図４参照）上記印加電圧を制御する（図５参照）。
【００１９】
なお、上記印加電圧の制御に当たっては、図６に示すように、必要印加電圧が高いほどデューティ比を大きく（同図（ａ））、必要印加電圧が低いほどデューティ比を小さく（同図（ｂ））制御する。
【００２０】
次に本実施形態装置の作用効果について説明する。
【００２１】
本実施形態装置では、特に冷間始動時には、燃料噴射弁７から噴射される燃料をグロープラグ８により過熱する。この場合に、エンジン冷却水温度，吸気温度，燃料温度が低いほど上記グロープラグ８への印加電圧を大きくし、もってグロープラグ８の発熱部８ａの温度を高める。これにより特にエンジン始動時のように吸気温度等が低い場合でも上記噴射された燃料が昇温されて蒸発が促進され、燃焼に寄与することなく排気ガスと共に排出される燃料が減少し、炭化水素，スモークの発生量が減少し、その結果、排気ガスの性状が改善される。
【００２２】
なお、暖機運転終了後の通常運転域では、上記グロープラグへの印加電圧は最小限に保持されるか、あるいは電圧供給は停止される。
【００２３】
また印加電圧の制御により発熱部８ａの温度を制御可能の電熱式のグロープラグ８を加熱手段とし、該発熱部８ａの一部が上記燃料噴射弁から噴射されたガソリンに当接するように該グロープラグ８を配設したので、吸気温度，冷却水温度あるいは燃料温度が低いほと高く設定される発熱部８ａの必要温度に応じて上記印加電圧を制御することにより噴射燃料に吸気温度等に応じた熱を与えることができ、より一層確実に燃料の蒸発を促進できる。
【００２４】
さらにまた、上記グロープラグ８の発熱部８ａをガソンリの自己着火点以下の温度に制御するようにしたので、点火プラグでスパークを発生させると直ちに燃焼が開始され、点火タイミングの制御精度を向上できる。また自己着火点以上に加熱する場合のようなノッキングが発生し易くなるといった問題を回避できる。
【図面の簡単な説明】
【図１】本発明の一実施形態による筒内噴射エンジンの燃料供給装置を説明するための断面模式側面図である。
【図２】上記実施形態装置の模式平面図である。
【図３】上記実施形態装置の印加電圧−グロープラグ温度特性図である。
【図４】上記実施形態装置の水温等−グロープラグ必要温度特性図である。
【図５】上記実施形態装置の水温等−グロープラグ必要印加電圧特性図である。
【図６】上記実施形態装置のグロープラグへの印加電圧制御を説明するための図である。
【符号の説明】
２  シリンダヘッド
７  燃料噴射弁
８  グロープラグ（加熱手段）
８ａ  発熱部
【図１】
2004316565.tif 000003
【図２】
2004316565.tif 000004
【図３】
2004316565.tif 000005
【図４】
2004316565.tif 000006
【図５】
2004316565.tif 000007
【図６】
2004316565.tif 000008